(57)【要約】【課題】人形頭部内に視線調整可能に固定される義眼であって、人形頭部内の空間が非常に狭い場合や、人形頭部内の空間に通じる開口部の位置が限定されている場合であっても、義眼の繰り返しの着脱固定や、微細な視線調整を簡便かつ適確に行うことができる義眼及び該義眼が固定された人形頭部を提供すること。【解決手段】人形頭部内に固定される義眼１であって、前面に瞳４を有する眼球２と、眼球２に設けられ、眼球２の視線５を調整する視線調整部３と、を有し、前記視線調整部３は、前記眼球２の後面であって前記眼球２の視線５延長線から外れた位置に設けられていることを特徴とする、義眼１を提供する。【選択図】図１Ｂ
2010179049.tif 000002
【特許請求の範囲】
【請求項１】
人形頭部内に固定される義眼であって、
前面に瞳を有する眼球と、
前記眼球に設けられ、前記眼球の視線を調整する視線調整部と、を有し、
前記視線調整部は、前記眼球の後面であって前記眼球の視線延長線から外れた位置に設けられていることを特徴とする、義眼。
【請求項２】
前記視線調整部は、前記眼球の後面から後方側に向けて延びて設けられており、前記視線延長線に対して角度を有することを特徴とする、請求項１に記載の義眼。
【請求項３】
前記視線調整部の先端部は、折り曲げ可能に形成されていることを特徴とする、請求項２に記載の義眼。
【請求項４】
眼球が、瞳を外れた位置に１以上の平坦部又は凹部を有することを特徴とする、請求項１〜３のいずれかに記載の義眼。
【請求項５】
眼球が、前面部と後面部とに分割可能であることを特徴とする、請求項１〜４のいずれかに記載の義眼。
【請求項６】
人形頭部であって、
義眼と、
前記義眼が固定される義眼固定部と、を有し、
前記義眼は、
前面に瞳を有する眼球と、
前記眼球に設けられ、前記眼球の視線を調整する視線調整部と、を有し、
前記視線調整部は、前記眼球の後面であって前記眼球の視線延長線から外れた位置に設けられていることを特徴とする、人形頭部。
【請求項７】
前記義眼固定部に義眼を押し付けて固定するための押付機構を有し、
前記押付機構は、前記義眼の視線調整部を外れた位置を押し付けることを特徴とする、請求項６に記載の人形頭部。
【請求項８】
前記人形頭部は顔部と後頭部を有し、
前記顔部は、前記義眼固定部の下部近傍に接続された内板と、前記内板上に形成され、一端が開口したスリットと、前記スリットの内側に形成された嵌合凹部と、を有し、
前記後頭部は、嵌合凸部を有し、
前記押付機構は前記内版上に設けられ、
前記嵌合凸部が前記スリットの嵌合凹部に嵌合することによって、前記顔部と後頭部が着脱可能に接合することを特徴とする、請求項７に記載の人形頭部。
【請求項９】
内部に接続された内板を有し、
前記押付機構と前記内板が磁力により吸着することを特徴とする、請求項７又は８に記載の人形頭部。
【請求項１０】
前記義眼が人形頭部内に磁力により吸着することを特徴とする、請求項６〜９のいずれかに記載の人形頭部。
【請求項１１】
前記視線調整部は、前記視線延長線に対して角度を有するよう、前記眼球の後面から後方側に向けて延びて設けられており、その先端部が折り曲げ可能に形成されていることを特徴とする、請求項６〜１０のいずれかに記載の人形頭部。
【請求項１２】
前記視線調整部の折り曲げ可能な先端部は、人形頭部の内部に固定可能であることを特徴とする、請求項１１に記載の人形頭部。
【請求項１３】
前記視線調整部は、前記視線延長線に対して角度を有するよう、前記眼球の後面から後方側に向けて延びて設けられており、その先端部が折り曲げ可能に形成され、
前記先端部が磁力により前記押付機構に固定可能であることを特徴とする、請求項９に記載の人形頭部。
【請求項１４】
前記視線調整部が、当該視線調整部を動かすための棒状部材を接続可能なように構成されていることを特徴とする、請求項６〜１３のいずれかに記載の人形頭部。
【発明の詳細な説明】
【技術分野】
【０００１】
本発明は、人形頭部内に固定される義眼であって視線調整可能な義眼に関する。さらに本発明は、そのような義眼を視線調整可能に固定した人形頭部に関する。
【背景技術】
【０００２】
人形の特定の部位を着脱可能とし、該部位を複数用意して交換することによって、人形自体をカスタマイズして楽しむことができる人形が存在する。人形頭部（髪型や顔）は、人形全体の印象に与える影響が大きく、中でも人形の眼を着脱、交換可能としたり、視線調整可能とすることで、非常に大きな印象の違いを産むことがある。
【０００３】
視線を調節することができる義眼部材を備えた人形頭として、例えば特許文献１は、眼の位置に開口部が形成された中空状頭部と該中空状頭部の開口部から瞳を覗かせた状態で該中空状頭部内部に配置される義眼部材と該義眼部材を支持するように該中空状頭部内部に固定される義眼支持部材とからなる義眼部材を備えた人形頭であって、前記中空状頭部が前記開口部を含む顔面を備えた顔部と後頭部とに二分割されており、前記義眼支持部材が該顔部内壁に固定手段を介して固定されると共に、該固定手段を介して固定された状態の該義眼支持部材における該顔部の開口部と対向する位置に貫通口が設けられており、前記義眼部材を該顔部内壁側から前記開口部縁端に密着させた状態で該義眼支持部材を該顔部内壁に固定することにより該貫通口を囲む周縁部が該義眼部材を該開口部縁端へ付勢した状態で支持することを特徴とする義眼部材を備えた人形頭を開示する。ここで、義眼部材には、義眼の視線と同一線上であって瞳と相対向する方向に視線調節凸部が設けられ、この凸部を義眼支持部材のリング状貫通口に通し、義眼支持部材の周縁部が義眼部材を固定する。
【０００４】
また、特許文献２は、需要者が好みの眼球を人形に取り付けるための構造として、内部中空状に形成された人形用頭部の貫通した眼球露出穴に、該頭部内部から眼球を取り付ける構造であって、眼球露出穴位置近傍の頭部内面に先端を固定すると共に後頭部方向へ向けて突設される取付部本体と、該取付部本体に対し摺動可能に備えられ、眼球を保持すると共に保持される眼球の後方が臨む嵌め合い部を備えた眼球押え部と、該眼球押え部の後方から前記取付部本体に摺動可能に備えられるカシメ部とで構成されていることを特徴とする人形用眼球の取付構造を開示する。ここで、一態様において、眼球本体は、視線と同一線上であって瞳部分と相対向する位置に眼球遊動操作部（凸部）を有し、これを取付部の円環状眼球押さえ部本体に貫通して眼球が固定される。
【０００５】
上記いずれの特許文献においても、義眼に設けられた固定の微調整用部材（主に凸部）は、視線の同一線上に設けられている。これは、一般に義眼の製造工程に由来する。例えば、ガラス製の義眼の場合、ガラスを空洞状に回転させながら膨らませて製造する際の金属製の筒の名残が視線と同一線上に中心に穴の開いた凸部として形成される。また、プラスチックやアクリル等の合成素材製の義眼の場合にも、型に流し込む際の湯口の位置、型抜きの容易性等の観点から、視線と同一線上に凸部が形成される。
【先行技術文献】
【特許文献】
【０００６】
【特許文献１】特開２００４−２４２９１４
【特許文献２】特開２００６−１３６４５１
【発明の概要】
【発明が解決しようとする課題】
【０００７】
人形頭部内に義眼を固定する場合、固定の微細な変化で非常に大きな印象の違いを産むことがあり、繊細な固定の調整が必要となる。しかしながら、人形頭部内の空間は一般に非常に狭く、また、人形頭部内の空間に通じる開口部が設けられていてもその位置は限定されている場合が多く、従来の義眼では、微細な固定の調整を適確かつ簡便に行うことは困難であった。
【課題を解決するための手段】
【０００８】
以上の課題を解決すべく鋭意検討を重ねた結果、本発明者は、従来とは形態自体の異なる人形の義眼及び該義眼を固定した人形頭部を発明するに至った。
【０００９】
本発明の一態様によれば、人形頭部内に固定される義眼であって、前面に瞳を有する眼球と、前記眼球に設けられ、前記眼球の視線を調整する視線調整部と、を有し、前記視線調整部は、前記眼球の後面であって前記眼球の視線延長線から外れた位置に設けられていることを特徴とする義眼が提供される。
【００１０】
該義眼においては、視線調整部が人形の視線と同一線上にはないため、上下左右に視線を調整したい場合であっても、義眼後方の空間の上下左右全てを調整に用いる必要がなくなり、人形頭部内の空間が非常に狭い場合及び／又は人形頭部内の空間に通じる開口部が狭く、義眼に対して限定された方向に設けられている場合であっても、義眼の微細な視線調整を行うことができる。また、上下非対称及び／又は左右非対称の瞳を有する義眼のように、瞳の方向性を考慮した義眼の視線調整が必要となる場合であっても、視線調整部が視線延長線から外れた位置に設けられているため、瞳の方向性が把握しやすく、瞳の方向性を確認しながらの視線調整を容易かつ適確に行うことができる。
【００１１】
また、本発明の一態様によれば、前記視線調整部は、前記眼球の後面から後方側に向けて延びて設けられており、前記視線延長線に対して角度を有することを特徴とする、前記の義眼が提供される。該義眼においては、視線調整部が、より視線調整に適した形状であり、微細な義眼の視線調整をさらに容易かつ適確に行うことができる。
【００１２】
また、本発明の一態様によれば、前記視線調整部の先端部は、折り曲げ可能に形成されていることを特徴とする、前記の義眼が提供される。該義眼においては、例えば人形頭部内の空間が非常に狭い場合及び／又は人形頭部内の空間に通じる開口部が狭く、義眼に対して限定された方向に設けられている場合でも、視線調整時には視線調整に好都合なよう、視線調整部を適度な長さとすることができ、また、視線調整部が折り曲がることによって可動範囲が拡大するため、微細な義眼の視線調整をさらに容易かつ適確に行うことができる。
【００１３】
また、本発明の一態様によれば、眼球が、瞳を外れた位置に１以上の平坦部又は凹部を有することを特徴とする、前記の義眼が提供される。該義眼においては、人形頭部内に義眼を固定する際に、眼球表面の平坦部又は凹部による係止を利用することができるため、より安定した固定が可能となる。
【００１４】
また、本発明の一態様によれば、眼球が、前面部と後面部とに分割可能であることを特徴とする、前記の義眼が提供される。該義眼においては、例えば眼球の前面部を複数用意して交換することで、簡便に人形の眼を需要者の好みに合わせてカスタマイズすることができる。また、後面部を複数用意し、様々な固定や視線調整の態様に合わせて交換することもできる。
【００１５】
さらに本発明の一態様によれば、人形頭部であって、義眼と、前記義眼が固定される義眼固定部と、を有し、前記義眼は、前面に瞳を有する眼球と、前記眼球に設けられ、前記眼球の視線を調整する視線調整部と、を有し、前記視線調整部は、前記眼球の後面であって前記眼球の視線延長線から外れた位置に設けられていることを特徴とする、人形頭部が提供される。
【００１６】
該人形頭部においては、義眼の視線調整部が人形の視線と同一線上にはないため、上下左右に義眼の視線を調整したい場合であっても、義眼後方の空間の上下左右全てを調整に用いる必要がなくなり、人形頭部内の空間が非常に狭い場合及び／又は人形頭部内の空間に通じる開口部が狭く、義眼に対して限定された方向に設けられている場合であっても、義眼の微細な固定の調整を行うことができる。また、上下非対称及び／又は左右非対称の瞳を有する義眼のように、瞳の方向性を考慮した義眼の視線調整が必要となる場合であっても、視線調整部が視線延長線から外れた位置に設けられているため、瞳の方向性が把握しやすく、瞳の方向性を確認しながらの調整を容易かつ適確に行うことができる。
【００１７】
さらに本発明の一態様によれば、前記義眼固定部に義眼を押し付けて固定するための押付機構を有し、前記押付機構は、前記義眼の視線調整部を外れた位置を押し付けることを特徴とする、前記の人形頭部が提供される。該人形頭部においては、押付機構による押付力により、義眼が容易かつ適確に、また、左右それぞれ個別に視線調整可能に固定される。さらに、接着剤等を用いることなく義眼が人形頭部内に着脱可能に固定され、他の人形頭部への義眼の転用も容易である。また、義眼において、視線調整部が視線延長線から外れた位置に設けられており、義眼後面において、視線延長線上を含む広い面積で押付機構が義眼を押し付けて固定することが可能なため、より安定した固定が可能となる。
【００１８】
さらに本発明の一態様によれば、前記人形頭部は顔部と後頭部を有し、前記顔部は、前記義眼固定部の下部近傍に接続された内板と、前記内板上に形成され、一端が開口したスリットと、前記スリットの内側に形成された嵌合凹部と、を有し、前記後頭部は、嵌合凸部を有し、前記押付機構は前記内版上に設けられ、前記嵌合凸部が前記スリットの嵌合凹部に嵌合することによって、前記顔部と後頭部が着脱可能に接合することを特徴とする、前記の人形頭部が提供される。該人形頭部においては、内部に形成された内板上で義眼が固定されるため、より安定した義眼の固定ができ、視線調整の際に義眼が落下して破損することを回避することもできる。また、義眼のみならず、人形頭部の顔部及び後頭部も繰り返し着脱可能であるため、人形の義眼、顔部及び後頭部を複数用意すれば、眼、顔及び髪を自由に組み合わせ、需要者の好みに応じて簡便にカスタマイズすることができる。
【００１９】
さらに本発明の一態様によれば、内部に接続された内板を有し、前記押付機構と前記内板が磁力により吸着することを特徴とする、前記の人形頭部が提供される。該人形頭部においては、磁力により、押付機構が内板上でスライド可能に設置され、簡便かつ広い空間を必要とせずに、押付機構を人形頭部内に設けることができる。
【００２０】
さらに本発明の一態様によれば、前記義眼が人形頭部内に磁力により吸着することを特徴とする、前記の人形頭部が提供される。該人形頭部においては、磁力により義眼が人形頭部内に吸着した状態で視線調整を行うことが可能となるため、義眼が落下することなく、義眼の微細な視線調整をさらに容易かつ適確に行うことができる。
【００２１】
さらに本発明の一態様によれば、前記視線調整部は、前記視線延長線に対して角度を有するよう、前記眼球の後面から後方側に向けて延びて設けられており、その先端部が折り曲げ可能に形成されていることを特徴とする、前記の人形頭部が提供される。該人形頭部においては、視線調整部が、より視線調整に適した形状であり、例えば人形頭部内の空間が非常に狭い場合及び／又は人形頭部内の空間に通じる開口部が狭く、義眼に対して限定された方向に設けられている場合でも、視線調整時には視線調整に好都合なよう、視線調整部を適度な長さとすることができ、また、先端部が折り曲がることによって視線調整部の可動範囲が拡大するため、義眼の微細な視線調整をさらに容易かつ適確に行うことができる。
【００２２】
さらに本発明の一態様によれば、前記視線調整部の折り曲げ可能な先端部は、人形頭部の内部に固定可能であることを特徴とする、前記の人形頭部が提供される。該人形頭部においては、視線調整部が人形頭部内部に固定されるため、視線調整時以外の場合には、視線調整部が振動等によって動いて義眼がずれることを防ぐことができる。
【００２３】
さらに本発明の一態様によれば、前記視線調整部は、前記視線延長線に対して角度を有するよう、前記眼球の後面から後方側に向けて延びて設けられており、その先端部が折り曲げ可能に形成され、前記先端部が磁力により前記押付機構に固定可能であることを特徴とする、前記の人形頭部が提供される。該人形頭部においては、磁力により、簡便かつ広い空間を必要とせずに、視線調整部を人形頭部内に固定することができる。
【００２４】
さらに本発明の一態様によれば、前記視線調整部が、当該視線調整部を動かすための棒状部材を接続可能なように構成されていることを特徴とする、前記の人形頭部が提供される。該人形頭部においては、視線調整時には棒状部材を視線調整部に接続し、視線調整後にはこれを視線調整部から外すことができ、例えば人形頭部内の空間が非常に狭い場合及び／又は人形頭部内の空間に通じる開口部が狭く、義眼に対して限定された方向に設けられている場合でも、義眼の視線調整をさらに容易かつ適確に行うことができる。
【００２５】
また、本発明によれば、瞳が、上下非対称及び／又は左右非対称であることを特徴とする、上記の義眼が提供される。
【発明の効果】
【００２６】
本発明によれば、人形頭部内の空間が非常に狭く、また、人形頭部内の空間に通じる開口部の位置が限定されている場合であっても、義眼の繰り返しの着脱固定や、微細な視線調整を簡便かつ適確に行うことができる。また、瞳の方向性を考慮した義眼の固定調整が必要となる場合であっても、これを容易かつ適確に行うことができる。
【図面の簡単な説明】
【００２７】
【図１Ａ】実施形態１に係る人形の義眼の正面図である。
【図１Ｂ】実施形態１に係る人形の義眼の側面図である。
【図１Ｃ】実施形態１に係る人形の義眼の分解側面図である。
【図２】実施形態２に係る人形の義眼の分解側面図（ａ）及び先端部が折り曲げ可能に形成された視線調整部３（ｂ）である。
【図３】実施形態３に係る義眼の分解側面図である。（ａ）〜（ｃ）はそれぞれ実施形態３の異なる態様を示す。
【図４】実施形態４に係る人形の義眼の一部断面側面図（ａ）及び一部断面分解側面図（ｂ）である。
【図５】実施形態５に係る義眼の側面図である。（ａ）及び（ｂ）はそれぞれ実施形態５の異なる態様を示す。
【図６】実施形態１に係る人形の義眼を人形頭部内部に固定した例の側面断面図である（ａ：上方視線、ｂ：下方視線）。
【図７】実施形態２に係る人形の義眼を人形頭部内部に固定した例の側面断面図である（ａ：上方視線、ｂ：下方視線）。
【図８】実施形態６に係る人形頭部の顔部を示す側面断面図（ａ）及び一部省略正面断面図（ｂ）である。
【図９】実施形態６に係る人形頭部の顔部及び取り外した義眼を示す、真上からの図である。
【図１０】実施形態６に係る人形頭部の顔部内部を示す斜視図である。
【図１１】実施形態６に係る人形頭部の顔部における義眼の視線調整を示す、正面図(ａ１、ｂ１)、側面図（ｃ１）、真上からの図（ａ２）、及び側面断面図（ｂ２、ｃ２）である（ａ：左方視線、ｂ：下方視線、ｃ：上方視線）。
【図１２】実施形態６に係る人形頭部の顔部と後頭部との接合を示す斜視図である。
【図１３】実施形態７に係る人形頭部の側面断面図である（ａ：上方視線、ｂ：下方視線、ｃ：義眼取り外し）。
【図１４】実施形態７に係る人形頭部内に義眼を固定するための機構の分解図である（ａ：側面図、ｂ：それぞれの部品を真上から見た図）。
【図１５】実施形態８に係る人形頭部の側面断面図である（ａ）〜（ｃ）はそれぞれ実施形態８の異なる態様を示す。また、（ａ）は上方視線、（ｂ）は下方視線、（ｃ）は義眼を取り外した様子を示す。
【図１６】実施形態９に係る人形頭部及び義眼を真上からみた図である（ａ）及び（ｂ）はそれぞれ実施形態９の異なる態様を示す。
【図１７】実施形態１０に係る顔部、義眼及び押付機構を真上からみた図である。ａは、実施形態６と同様の義眼保持部を有する押付機構及び実施形態１０に係る義眼を示す。ｂ〜ｄは、それぞれ、前方視線（ｂ）、左方視線（ｃ）又は右方視線（ｄ）で固定維持するための義眼保持部を有する押付機構及び対応する視線方向の義眼を示す。（ｅ）は、（ｄ）の押付機構及び義眼を右目に固定した顔部内部を示す。
【図１８】実施形態１０に係る義眼の分解側面図である。
【図１９】実施形態１０に係る義眼及び押付機構の他の態様を示す側面図である。（ａ）及び（ｂ）はそれぞれ異なる態様を示す。
【図２０】実施形態１１に係る人形頭部の顔部内部を示す斜視図である。
【図２１】実施形態１２に係る人形頭部の顔部及び後頭部を示す斜視図である。
【図２２】実施形態１３に係る人形頭部の内部を示す断面図である。
【発明を実施するための形態】
【００２８】
以下、本発明の実施形態を図に基づいて説明する。なお、図に開示する実施形態は本発明の一実施形態にすぎず、本発明は何等これに限定して解釈されるものではない。本明細書の記載に基づいて当業者であれば可能な設計変更は本発明の範囲内である。
【００２９】
図１は、実施形態１に係る人形の義眼の正面図（ａ）、側面図（ｂ）及び分解側面図（ｃ）である。義眼１は、眼球２と視線調整部３とからなる。眼球２は、前面の中心部に瞳４を有する。視線調整部３は、眼球２の後面であって、瞳４の中心を通る視線５の延長線から外れた位置に設けられる。瞳４は内側に虹彩６及び白色部７を有していてもよい。
【００３０】
本発明の義眼１においては、視線５の延長線から外れた位置に視線調整部３が設置される。従来の人形頭部内に固定するための義眼は、例えば視線と同一線上に凸部や調整用棒（視線調整に用いる）等を差し込むための孔が設けられており、例えば人形の視線を上下に向けようとする場合、義眼後方の下部及び上部のそれぞれに広く空間を確保する必要があった。一方、本発明の義眼１は、視線５の延長線から外れた位置に視線調整部３が設けられるため、視線５を上下左右に向けようとする際に、義眼後方の上下左右全てに空間を確保する必要がなく、人形頭部内の空間が非常に狭く、また、人形頭部内の空間に通じる開口部の位置が限定されている場合であっても、人形の微細な視線調整を容易かつ適確に行うことができる。
【００３１】
なお、本明細書中において、義眼の視線調整とは、義眼の視線調整のみならず、該視線調整に伴って、義眼の固定を調整すること、義眼を着脱することも含む。
【００３２】
義眼１の眼球２は、当業者に公知の手法を用いて製造することができ、その材質は特に限定されない。例えば、瞳４（さらに必要に応じて虹彩６及び白色部７）及び眼球２を、それぞれ、ポリスチレン（ＰＳ）、ポリエチレン（ＰＥ）、ポリウレタン（ＰＵ）、ポリプロピレン（ＰＰ）、ポリカーボネート（ＰＣ）、ポリアセタール（ＰＯＭ）、ポリ塩化ビニル（ＰＶＣ）、ポリエステル、アクリル（ＰＭＭＡ）、ナイロン、ＡＢＳ、エポキシ、ガラス繊維強化プラスチック（ＧＦＲＰ）、炭素繊維強化プラスチック（ＣＦＲＰ）、セルロース系プラスチック（アセテート）、生分解性プラスチック、エラストマー、シリコーン、各種ゴム、各種木材、各種金属（磁性体を含む）、各種粘土、ガラス等を用いて成形した後、眼球２に瞳４を接着、差し込み等により取付けることができる。瞳６を成形した後、眼球２を瞳４にインサート成形することも、眼球２を成型した後、瞳４を眼球２にインサート成型することもできる。シール状の瞳４を眼球２に貼り付けてもよいし、眼球２の表面に瞳４を印刷しても、描き目として描いてもよい。
【００３３】
眼球２の形状は球状、楕円状等であることができ、また、その大きさは、義眼１を固定しようとする人形頭部の大きさや該人形頭部に設けられた眼孔部の大きさに応じて適宜決定することが出来る。眼球２は半球状であってもよい。眼球２は、上記の形状が一部欠損した形状であってもよく、その表面であって瞳を外れた位置に平坦部又は凹部を有していてもよい。
【００３４】
瞳４が、人形の眼の輝き等を表現するよう白色部７を有する場合、図１（ａ）に示すように、瞳４が、上下非対称及び／又は左右非対称となる場合がある。その他、目蓋の影を表現した場合や、レンズの反射による上下の明暗の違いを表現した場合など、特に方向性のある瞳４を有する義眼１においては、視線５の延長線から外れた位置に視線調整部３が設置されることで、視線５と同一線上に視線調整部３が設置された場合と比較して、瞳４の方向性を把握しやすくなり、上下及び／又は左右の方向性を考慮した義眼１の視線調整を非常に容易に行うことができる。瞳４を視認することができない、側面や後方からの視線調整も、容易かつ適確に行うことができる。白色部７を有する瞳４は、当業者に公知の手法を用いて製造することができ、例えば特開平９−１９２３５６の記載を参照して製造することが出来る。
【００３５】
義眼１の視線調整部３は、義眼１の視線調整に適していれば、その形状、材質、数、構成は特に限定されない。形状としては、例えば、棒状、眼球２を底面とする円錐状、平板状等が挙げられ、好ましくは、固定の調整が行いやすいような、眼球２の後面から後方側に延びた形状である。この後方側に延びた形状は、直線状である必要はなく、湾曲していてもよいし、継ぎ目等を設けて先端部を折り曲げ可能としてもよい。また、材質としては、合成樹脂、ガラス、木材、金属、磁石等が挙げられるがこれらに限定されない。視線調整部３は、１つの義眼１に対し、１又は複数設けることができる。
【００３６】
眼球２と視線調整部３とは、同一素材で一体形成されていてもよいし、別素材又は同素材で個別に製造した後に、嵌め込み、接着剤による接着、ネジ止め、磁力による吸着等公知の手法で、視線調整部３を眼球２に固定してもよい。視線調整部３は、眼球２に対して着脱可能、回転可能としてもよく、視線調整時に視線調整部３を眼球２に取り付け、視線調整後は眼球２から外すことも出来る。例えば、眼球２の後面であって視線５の延長線を外れた位置に小孔を設け、これに視線調整時に適当な部材を差し込んで視線調整を行うこともできる。
【００３７】
市販の義眼に改変を加えて本発明の義眼１とすることもできる。例えば、眼球の後面の視線と同一線上に凸部を有する市販の義眼の凸部を、切断、ヤスリを用いる等して一部削り、その後、眼球の後面であって視線の延長線から外れた位置に、斜軸形状の弾性部材（例えばゴム、熱可塑性エラストマー、ＰＶＣ、ＡＢＳ樹脂等）を設置して、視線調整部３とし、本発明の義眼１とすることもできる。また、市販の義眼の眼球の後面であって視線の延長線から外れた位置に小孔を設け、適当な部材を視線に対して斜めに差し込んで視線調整部３とすることもできる。視線調整部３の眼球２への固定を補助する目的で、眼球２内部の一部又は全体に適切な素材を充填することもできる。
【００３８】
図１（ｂ）に示すように、視線調整部３が、眼球２の後面から後方側に延びた形状である場合、視線調整部３の視線５に対する傾斜の角度は、視線調整しやすい角度であればよく、義眼１を固定しようとする人形頭部の形状によっても異なるが、例えば１０°〜８０°、好ましくは２０°〜７０°、より好ましくは３０°〜６０°、例えば４５°程度とすることができる。
【００３９】
図２は、実施形態２に係る人形の義眼１の分解側面図（ａ）及び先端部８が折り曲げ可能に形成された視線調整部３（ｂ）を示す。図２（ｂ）の視線調整部３は、図２（ａ）の視線調整部３と交換可能である。実施形態２においては、図２（ａ）に示すように、眼球２は前面部９及び後面部１０に分割され、これらを接着、嵌め込み等、当業者に公知の適切な手法でつなぎ合わせて眼球２とすることができる。義眼１は、実施形態１で記載した手法に準じて製造することができるが、前面部９として市販の義眼を分割したものを用い、後面部１０として、市販の義眼１に上記のような改変を加え分割したものや、前面部９に適合するよう新たに製造したものを用い、これらをつなぎ合わせて本発明の義眼２とすることもできる。図２（ａ）に示すような、眼球２が前面部９及び後面部１０に分割可能な義眼１においては、様々な前面部９（例えば、瞳４の色、柄や材質の異なる前面部９）を複数用意して交換することができるため、簡便に人形の眼を需要者の好みに合わせてカスタマイズすることができる。また、図２（ａ）に示すように、義眼１は、着脱可能な視線調整部３を固定するための小孔（いずれも視線５の延長線から外れた位置に設けられる）を複数有してもよい。
【００４０】
図２（ｂ）に示すような、先端部８が折り曲げ可能に形成された視線調整部３は、継ぎ目等を設けて折り曲げ可能としてもよい。なお、先端部８は、視線調整部３において、眼球２と接しない側の先端を含む部分を指す。視線調整部３において、先端部８が折り曲げ可能であると、例えば人形頭部内の空間が非常に狭い場合及び／又は人形頭部内の空間に通じる開口部が狭く、義眼に対して限定された方向に設けられている場合でも、視線調整時には視線調整に好都合なよう、視線調整部３を適度な長さとすることができ、また、視線調整部３が折り曲がることによって義眼１の可動範囲が拡大するため、義眼１の微細な視線調整をさらに容易に行うことができる。なお、先端部８を折り曲げ可能とするための方法、折り曲げ箇所の数などは特に制限されない。
【００４１】
図３は、実施形態３に係る義眼１の分解側面図を示す。（ａ）〜（ｃ）は、それぞれ実施形態３の異なる態様を示す。図３に示すように、眼球２が前面部９と後面部１０とに分割されている場合、前面部９が瞳４を有し、後面部１０が視線調整部３を有する限り、分割は、眼球２の正中線以外であってもよく、例えば図３（ｂ）に示すように眼球２を側面から見た際に斜めに分割されていてもよい。また分割面も、平面に限られず、図３（ｂ）及び（ｃ）に示すように、凹凸を設けた面や、曲面とすることで、前面部９に対する後面部１０の回転を防ぐことも可能である。前面部９と後面部１０とを連結する連結部１１の形状や数は特に制限されず、例えば図３（ａ）においては、連結部１１を複数設けることで、前面部９に対する後面部１０の回転を防ぎ、より強く安定した固定を可能としている。
【００４２】
図４は、実施形態４に係る人形の義眼１の一部断面側面図（ａ）及び一部断面分解側面図（ｂ）を示す。実施形態４は、特に市販の義眼をベースに、本発明の義眼２とした形態である。市販の義眼の瞳と相対向する部分を切除して前面部９とし、該前面部９に合わせた大きさの後面部１０を、視線５の延長線から外れた位置に視線調整部３を有するよう形成し、連結部１１を介して前面部９と後面部１０をつなぎ合わせて義眼１とする。前面部９と後面部１０とを連結する連結部１１の形状は、前面部９及び後面部１０の材質や形状に合せて適宜変更することができ、例えば図４のように中空部材で前面部９が成形されている場合、可撓性があり摩擦係数の高い素材（例えばゴム、熱可塑性エラストマー、ＰＶＣ、ＡＢＳ樹脂等）で連結部１１を後面部１０と連続して成形し、前面部９へ差し込むことで、着脱可能かつ充分な強度を有する連結が可能となる。
【００４３】
図５は、実施形態５に係る義眼１の側面図である。（ａ）及び（ｂ）はそれぞれ実施形態５の異なる態様を示す。図５（ａ）に示す実施形態５の義眼１は、眼球２の表面であって瞳４を外れた位置に１つの平坦部３２を有し、図５（ｂ）に示す実施形態５の義眼１は、眼球２の表面であって瞳４を外れた位置に複数の凹部３３を有している。これらの平坦部３２又は凹部３３は、好ましくは、義眼１が人形頭部１２内に固定され、所望の方向に視線調整される際に眼孔１３から覗かない位置に設けられる。実施形態５の義眼１は、図５に示すように、必要に応じて補助部材２５（例えば、シリコーン等の可撓性素材や練り消しゴム等の可塑性素材等であってもよい）を用いて人形頭部１２内に固定される。このように、眼球２の瞳４を外れた位置に平坦部３２又は凹部３３を有する義眼１は、球面又は楕円球面の眼球２を有する義眼１と比較して、眼球２が滑らず、補助部材２５等により係止しやすく、より安定した義眼１の固定が可能になる。
【００４４】
以上の実施形態によれば、人形頭部内に固定される義眼１であって、前面に瞳４を有する眼球２と、眼球２に設けられ、眼球２の視線５を調整する視線調整部３と、を有し、視線調整部３は、眼球２の後面であって眼球２の視線５延長線から外れた位置に設けられていることを特徴とする義眼１が提供される。
【００４５】
該義眼１においては、視線調整部３が人形の視線５と同一線上にはないため、上下左右に視線５を調整したい場合であっても、義眼１後方の空間の上下左右全てを調整に用いる必要がなくなり、人形頭部内の空間が非常に狭い場合及び／又は人形頭部内の空間に通じる開口部が狭く、義眼１に対して限定された方向に設けられている場合であっても、義眼１の微細な視線調整を行うことができる。また、上下非対称及び／又は左右非対称の瞳４を有する義眼１のように、瞳４の方向性を考慮した義眼１の視線調整が必要となる場合であっても、視線調整部３が視線５延長線から外れた位置に設けられているため、瞳４の方向性が把握しやすく、瞳４の方向性を確認しながらの視線調整を容易かつ適確に行うことができる。
【００４６】
以上の実施形態によれば、また、視線調整部３が、眼球２の後面から後方側に向けて延びて設けられており、視線５延長線に対して角度を有することを特徴とする、前記の義眼１が提供される。該義眼１においては、視線調整部３が、より視線調整に適した形状であり、微細な義眼１の視線調整をさらに容易かつ適確に行うことができる。
【００４７】
以上の実施形態によれば、また、視線調整部３の先端部８が、折り曲げ可能に形成されていることを特徴とする、前記の義眼１が提供される。該義眼１においては、例えば人形頭部内の空間が非常に狭い場合及び／又は人形頭部内の空間に通じる開口部が狭く、義眼１に対して限定された方向に設けられている場合でも、視線調整時には視線調整に好都合なよう、視線調整部３を適度な長さとすることができ、また、視線調整部３が折り曲がることによって可動範囲が拡大するため、微細な義眼１の視線調整をさらに容易かつ適確に行うことができる。
【００４８】
以上の実施形態によれば、また、眼球２が、瞳４を外れた位置に１以上の平坦部又は凹部を有することを特徴とする、前記の義眼１が提供される。該義眼１においては、人形頭部内に義眼１を固定する際に、眼球２表面の平坦部又は凹部による係止を利用することができるため、より安定した固定が可能となる。
【００４９】
以上の実施形態によれば、また、眼球２が、前面部９と後面部１０とに分割可能であることを特徴とする、前記の義眼１が提供される。該義眼１においては、例えば眼球２の前面部９を複数用意して交換することで、簡便に人形の眼を需要者の好みに合わせてカスタマイズすることができる。また、後面部１０を複数用意し、様々な固定や視線調整の態様に合わせて交換することもできる。
【００５０】
次に、図６及び７を用いて、上記の義眼１を人形頭部１２の内部に固定する実施形態を説明する。
図６は、実施形態１の義眼１を人形頭部１２の内部に固定した側面断面図であり、（ａ）は上方（約２０°）に視線調整し、（ｂ）は下方（約３０°）に視線調整した状態を示す。人形頭部１２は、眼の位置に開口した眼孔１３を有し、ソフトビニル素材やゴム、熱可塑性エラストマーなどの弾性素材によって内部が一部空間を有するよう形成され、内部空間が開口部１４に通じている。さらに、義眼１を押し込んで固定できるよう、人形頭部１２の内部には、眼孔１３の位置に合わせて義眼固定部１５が凹曲面に形成される。視線調整部３の先に、視線調整部３を動かすための棒状部材１６を接続し、開口部１４から義眼１を視線調整する。
【００５１】
図６に示すように、義眼１において、視線調整部３が視線５の延長線を外れて設けられることにより、人形頭部１２の内部の空間が狭く、開口部１４が狭く、義眼１に対して限定された方向に設けられている場合であっても、義眼１の視線調整が可能となる。たとえば、人形頭部１２を前後に大きく分割するなど、人体の構造とそぐわない部分に開口部１４を設ける必要もない。特に、人間の首に相当する部分のみを開口部１４とすれば充分に義眼１の視線調整が可能であり、この開口部１４は人形頭部１２を人形胴体に設置した際に首部を介して隠し、目立たないようにすることも可能なため、美観上非常に好ましい。仮に、従来の義眼のように、視線調整部３が視線５の延長線上に設けられている場合、図６に示すような狭い開口部では、義眼１の視線調整は困難である。なお、図６（ａ）（上方２０°）及び図６（ｂ）（下方３０°）の、上下合計５０°の範囲は、実際の人間において視線が可動する範囲をカバーする。
【００５２】
図６に示すように、義眼１の視線調整部３が、眼球２の後面から後方側に延びた形状である場合、視線調整部３の視線５に対する方向は、義眼１の視線調整が行いやすい方向であれば制限されないが、より簡便に視線調整を行うという観点から、好ましくは義眼１を固定しようとする人形頭部１２における、眼孔１３から開口部１４への方向を考慮して設けられる。
【００５３】
人形頭部１２及び義眼固定部１５の材質及び形状は特に制限されず、弾性素材ではなく硬い素材で成形してもよいし、義眼固定部１５を一体成形せず、個別に成形し、中空状に成形した人形頭部１２の内部に固定してもよい。粘着素材を義眼固定部１５として用いて、人形頭部１２の内部に貼り付けてもよい。人形頭部１２において、眼孔１３の周囲には必要に応じて睫毛を取付けることもできる。
【００５４】
棒状部材１６は、視線調整部３に接続可能で開口部１４から視線調整部３を動かすことのできる形状であれば特に制限されず、例えば折り曲げ可能に形成してもよい。また、複数の棒状部材１６を用意し、これらを作業のし易さに応じて交換することも可能である。棒状部材１６の視線調整部３への連結方法は特に制限されず、例えば棒状部材１６を、視線調整部３に合わせた筒状に形成して視線調整部３に嵌め合わせてもよいし、磁力やネジ止めにより連結してもよい。
【００５５】
図７は、実施形態２に係る人形の義眼１を人形頭部１２の内部に固定した側面断面図であり、（ａ）は上方（約２０°）に視線調整し、（ｂ）は下方（約３０°）に視線調整した状態を示す。人形頭部１２は、眼の位置に開口した眼孔１３を有し、ソフトビニル素材、熱可塑性エラストマー、ゴムなどの弾性素材によって内部に空間を有するよう形成され、首と接する部分に曲面状に設けられた膨出部１７の開口部１４に内部空間が通じている。さらに、義眼１を押し込んで固定できるよう、人形頭部１２の内部には、眼孔１３の位置に合わせて義眼固定部１５が凹曲面に形成される。先端部８が折り曲げ可能に形成された視線調整部３の先に、視線調整部３を動かすための棒状部材１６を接続し、開口部１４から義眼１を視線調整する。視線調整部３の先端部８が折り曲げ可能であると、図６と図７との比較からも明らかなように、開口部１４がより狭くても、義眼１を視線調整可能である。なお、図７に示すように、膨出部１７に設けられた開口部１４は、人形頭部１２が人形胴体に連結した際には表面に現れないようにすることができる。
【００５６】
以上の実施形態によれば、人形頭部１２であって、義眼１と、義眼１が固定される義眼固定部１５と、を有し、義眼１は、前面に瞳４を有する眼球２と、眼球２に設けられ、眼球２の視線５を調整する視線調整部３と、を有し、視線調整部３は、眼球２の後面であって眼球２の視線５延長線から外れた位置に設けられていることを特徴とする、人形頭部１２が提供される。
【００５７】
該人形頭部１２においては、義眼１の視線調整部３が人形の視線５と同一線上にはないため、上下左右に義眼１の視線５を調整したい場合であっても、義眼１後方の空間の上下左右全てを調整に用いる必要がなくなり、人形頭部１２内の空間が非常に狭い場合及び／又は人形頭部１２内の空間に通じる開口部１４が狭く、義眼１に対して限定された方向に設けられている場合であっても、義眼１の微細な固定の調整を行うことができる。また、上下非対称及び／又は左右非対称の瞳４を有する義眼１のように、瞳４の方向性を考慮した義眼１の視線調整が必要となる場合であっても、視線調整部３が視線５延長線から外れた位置に設けられているため、瞳４の方向性が把握しやすく、瞳４の方向性を確認しながらの調整を容易かつ適確に行うことができる。
【００５８】
以上の実施形態によれば、また、前記視線調整部３は、前記視線５延長線に対して角度を有するよう、前記眼球２の後面から後方側に向けて延びて設けられており、その先端部８が折り曲げ可能に形成されていることを特徴とする、前記の人形頭部１２が提供される。該人形頭部１２においては、視線調整部３が、より視線調整に適した形状であり、例えば人形頭部１２内の空間が非常に狭い場合及び／又は人形頭部１２内の空間に通じる開口部１４が狭く、義眼１に対して限定された方向に設けられている場合でも、視線調整時には視線調整に好都合なよう、視線調整部３を適度な長さとすることができ、また、先端部８が折り曲がることによって視線調整部３の可動範囲が拡大するため、義眼１の微細な視線調整をさらに容易かつ適確に行うことができる。
【００５９】
以上の実施形態によれば、また、前記視線調整部３が、視線調整部３を動かすための棒状部材１６を接続可能なように構成されていることを特徴とする、前記の人形頭部１２が提供される。該人形頭部１２においては、視線調整時には棒状部材１６を視線調整部３に接続し、視線調整後にはこれを視線調整部３から外すことができ、例えば人形頭部１２内の空間が非常に狭い場合及び／又は人形頭部１２内の空間に通じる開口部１４が狭く、義眼１に対して限定された方向に設けられている場合でも、義眼１の視線調整をさらに容易かつ適確に行うことができる。
【００６０】
次に、図８〜１２を用いて、本発明の義眼を特に押付機構を用いて、顔部と後頭部とが着脱可能な人形頭部の内部に固定する、実施形態６を説明する。図８は、実施形態６に係る人形頭部の顔部を示す側面断面図（ａ）（義眼中心面で切断）及び一部省略正面断面図（ｂ）である。図９は、実施形態６に係る人形頭部の顔部及び取り外した義眼を示す、真上からの図である。図１０は、実施形態６に係る人形頭部の顔部内部を示す斜視図である。図１１は、実施形態６に係る人形頭部の顔部における義眼の視線調整を示す、正面図(ａ１、ｂ１)、側面図（ｃ１）、真上からの図（ａ２）、及び側面断面図（ｂ２、ｃ２）である（ａ：左方視線、ｂ：下方視線、ｃ：上方視線）。図１２は、実施形態６に係る人形頭部の顔部と後頭部との接合を示す斜視図である。
【００６１】
図１２に示すように、人形頭部１２は、顔部１８と後頭部１９とから構成される。図８に示すように、顔部１８には、両眼の位置に眼孔１３が貫通し、その内部周辺に眼球２の形状に適合する凹曲面として、義眼固定部１５が形成される。義眼固定部１５の下部近傍に接続して、内板２０が形成される。図９に示すように、内板２０には、一端が開口したスリット２１が設けられ、スリット２１の内部には、嵌合凹部２２が設けられている。内板２０上であってスリット２１を外した位置に、両眼孔１３の後方に延びる設置溝２３が設けられ、その中に押付機構２４が設置される。左右それぞれの義眼１の瞳４が眼孔１３から覗くよう、義眼１の視線調整部３を外れた位置で押付機構２４が義眼１を義眼固定部１５に押し付けて固定する。また、補助部材２５は、義眼１及び押付機構２４の固定を補助する。
【００６２】
図１２に示すように、後頭部１９には嵌合凸部２６が形成される。嵌合凹部２２と嵌合凸部２６が嵌合して、顔部１８と後頭部１９が接合面２７を介して接合し、受部２８を有する人形頭部１２を形成する。後頭部１９の後頭部外縁２９は、人形頭部１２の表面に顔部８と後頭部１９との接合面２７に沿って線状に現れる。後頭部外縁２９は人の毛髪の生え際を模した線を描いて人形頭部１２を垂直下方に伸び、受部２８に突き当たる。人形頭部１２の受部２８が、人形胴体の上部に位置する首部３０の上端に設けられた膨出部１７を、回転自在に受けるよう形成されることにより、人形頭部１２が人形胴体に対して自由に可動するよう固定される。
【００６３】
図８〜１２に示すように、人形頭部１２内において、押付機構２４の押付力により義眼１を義眼固定部１５に押し付けて固定すると、義眼１の着脱を繰り返す場合や、片眼ずつの繊細な視線調整を行う場合等に安定して視線調整を行うことができるため都合がよい。また、この押付機構２４による義眼１の固定を内板２０上で行うことで、義眼１の落下を防ぎ、さらに安定した視線調整を行うことができる。
【００６４】
顔部１８及び後頭部１９は、任意の材料を用いて製造することができ、内板２０は、義眼１及び押付機構２４がその上に設置されるに耐え得る強度を有する任意の材料を用いて製造することができる。これらの材料としては、例えばポリスチレン（ＰＳ）、ポリエチレン（ＰＥ）、ポリウレタン（ＰＵ）、ポリプロピレン（ＰＰ）、ポリカーボネート（ＰＣ）、ポリアセタール（ＰＯＭ）、ポリ塩化ビニル（ＰＶＣ）、ポリエステル、アクリル（ＰＭＭＡ）、ナイロン、ＡＢＳ、エポキシ、ガラス繊維強化プラスチック（ＧＦＲＰ）、炭素繊維強化プラスチック（ＣＦＲＰ）、セルロース系プラスチック（アセテート）、生分解性プラスチック、エラストマー、シリコーン、各種ゴム、各種木材、各種金属（磁性体を含む）、各種粘土、ガラス等が挙げられる。内板２０は、顔部１８と一体成形してもよいし、顔部１８と個別に成形して顔部１８内部に接着剤やネジ止め等の手法を用いて接続してもよい。
【００６５】
図８〜１２に示す実施形態６において、押付機構２４は、義眼保持部２４ａと動力部２４ｂと固定部２４ｃとからなる。
【００６６】
義眼保持部２４ａが視線調整部３を外れた位置で、義眼１を保持する。ここで、義眼１においては、視線５の延長線を外れた位置に視線調整部３が設けられているため、眼球２の後面部１０の、視線５の延長線上も含む広い面積で、義眼保持部２４ａが義眼１に接触することができる。義眼固定部１５及び義眼保持部２４ａの義眼１と接する面には、必要に応じ、摩擦力を高めるための加工や、義眼１の汚損を防止するための加工などを施すことができる。例えば、エンボス加工や薄いゴム膜の塗布等により、義眼１との接触面での摩擦力を高め、人形頭部１２内における義眼１の固定を強化することができる。また、義眼１がガラス、アクリル、シリコーンなどの傷つきやすい材料で成形されている場合、義眼固定部１５及び義眼保持部２４ａの義眼１と接する面に、クッション材を貼付けたり挿み込んだりすることにより、義眼１を保護することができる。視線５の延長線上も含む広い面積で、義眼保持部２４ａが義眼１に接触することは、上記の加工を施すことを容易にし、また該加工の効果も確実に得ることができる。
【００６７】
動力部２４ｂは、義眼保持部２４ａと固定部２４ｃとを連結し、その材質や構造は、押付機構２４において押付力を発生させ得るものであれば限定されない。例えば、バネやゴム等の弾性部材、シリンダー状部材、カシメ部材、楕円状の円盤を回転させ端点の距離を変更させて固定する部材（後述の実施形態９参照）等、様々な材質や構造のものを採用することができる。例えば、シリンダー状部材を押付機構２４として用いる場合、シリンダーを伸縮することによって押付力が生じるが、この伸縮の手法も特に制限されず、人力、機械的作用、電気的作用等、様々な手法を用いて行うことができる。押付力の強さは義眼１の固定に適するよう適宜調整する。
【００６８】
固定部２４ｃは、押付機構２４を人形頭部１２の内部に固定する。固定部２４ｃは、人形頭部１２や、内板２０と一体形成してもよい。押付機構２４の固定又は固定の補助に磁力を用いることもできる。
【００６９】
押付機構２４の押付力を利用して、義眼１の繰り返しの着脱や微細な視線調整をより容易に行うことができる。特に押付機構２４の動力部２４ｂとして図８に示すように弾性部材を用いると、義眼１の視線調整部３を利用して、一工程で義眼１の着脱が可能であり好都合である。すなわち、義眼１を着脱する際には、視線調整部３を持ち、義眼１を押し込む又は引き出すと同時に動力部２４ｂが伸縮して義眼保持部２４ａが前後に動き、義眼保持部２４ａのわずかな移動で義眼１の着脱を行うことができる。
【００７０】
義眼１の固定や押付機構２４による義眼１の固定をより確実にするため、補助部材２５を用いることができる。補助部材２５の形状及び数は特に限定されず、例えば、図９及び１０に示すように、くの字状に成形し、これを内板２０に設けたスリット２１や内板２０自体に設けた孔を用いて固定し、押付機構２４が浮かびあがらないよう、上から補助固定することが出来る。そのほか、後述の実施形態に例示するように、様々な形状の補助部材２５を用いることができる。
【００７１】
次に、図１１を用いて、実施形態６の人形頭部１２における義眼１の視線調整について説明する。図１１は、人形頭部１２の顔部１８を示す。（ａ１）及び（ａ２）は、右目の視線５を左方向に３０°、左目の視線５を左方向に５０°、視線調整部３に接続した棒状部材１６を用いて調整した状態を示す。（ｂ１）及び（ｂ２）は、左右ともに視線５を下方向に３０°、棒状部材１６を用いて調整した状態を示す。（ｃ１）及び（ｃ２）は、棒状部材１６を用いて左右ともに視線５を上方向に２０°調整した状態を示す。
【００７２】
図１１（ｂ２）に示すように、眼球２の球面を受ける形に押付機構２４（の義眼保持部２４ａ）が形成されており、視線５の可動が非常に容易であるばかりでなく、視線５を調整しながらも押付機構２４の押付力が義眼１に働いて義眼固定部１５に押し付けているため、目的の視線調整を簡便かつ確実に行うことができる。棒状部材１６は、視線調整後に視線調整部３から取り外すことができる。
【００７３】
次に、図１２を用いて、実施形態６の人形頭部１２における、顔部１８と後頭部１９との接合を示す。実施形態６の人形頭部１２においては、顔部１８の内部に一端が開口したスリット２１とその内側の嵌合凹部２２を設け、後頭部１９に嵌合凸部２６を設けることで、スリット２１の開口幅が若干変化することにより生じる可撓性を、顔部１８と後頭部１９との接合に利用することができる。これにより、顔部１８と後頭部１９とが過度の負荷なく、それぞれ容易に着脱可能となり、また、繰り返しの着脱にも耐え得る。嵌合凹部２２及び嵌合凸部２６の形状は、これらが容易に顔部１８と後頭部１９とを着脱可能に接合する限り制限されないが、成形、着脱の容易性、繰り返しの着脱に対する耐久性等の観点からは、嵌合凸部２６は曲面を有する球状又は楕円球状に形成し、嵌合凹部２２は該球状又は楕円球状に対応する孔として形成することが好ましい。
【００７４】
また、図１２等から明らかなように、顔部１８と後頭部１９との接合面２７は、人形頭部１２と人形胴体とが接触する受部２８を通る面となるよう形成され、後頭部外縁２９が、人の毛髪の生え際の線を模して形成されている。従って、顔部１８及び後頭部１９との接合面２７（開口部１４）を広くとることが可能になり、図１１（ａ１）及び（ａ２）から明らかなように、顔部１８の内部の義眼１を視線調整する場合に、視線調整部３や棒状部材１６が顔部１８の内壁と干渉することなく、十分な可動範囲を確保することができる。また、顔部１８の内部空間を広く確保することも可能となり、繊細かつ適確な作業が非常に行いやすいという利点を有する。さらには、結い上げる日本髪、ツインテイル、刈り上げ、ベリーショート、ショートボブ等、人形頭部１２を後方側から見て生え際が露出する髪型を再現しようとする場合であっても、後頭部外縁２９が人の毛髪の生え際の線を模して形成されているため、美観上の問題が生じず、また、首部３０を広く露出することもできる。
【００７５】
実施形態６に係る人形頭部１２は、顔部１８及び後頭部１９がそれぞれ独立に着脱可能であるから、これらをそれぞれ複数用意して需要者の好みに応じて自由に組み合わせることができる。例えば、人を模した人形頭部１２であれば、顔部１８として、喜怒哀楽様々な表情を有する顔部１８、多様な化粧を施した顔部１８、日焼けした顔色を有する顔部１８、変身前後の顔部１８、異なる人物の顔部１８等を用意することができ、後頭部１９として、様々な髪型を有する後頭部１９を用意することができる。後頭部１９には、必要に応じ、当業者に公知の手法を用いて毛髪様材料等を付着することもできる。
【００７６】
また、図１２に示すように、人形頭部１２の受部２８は、首部３０の膨出部１７を回転自在に受けるよう形成されているため、人形頭部１２は、首部３０に対して上下方向、左右方向及び斜め方向のいずれにも自在に可動し、多様な姿勢をとることが可能である。
【００７７】
以上の実施形態によれば、義眼固定部３に義眼１を押し付けて固定するための押付機構２４を有し、押付機構２４は、義眼１の視線調整部３を外れた位置を押し付けることを特徴とする、前記の人形頭部１２が提供される。該人形頭部１２においては、押付機構２４による押付力により、義眼１が容易かつ適確に、また、左右それぞれ個別に視線調整可能に固定される。さらに、接着剤等を用いることなく義眼１が人形頭部１２内に着脱可能に固定され、他の人形頭部１２への義眼１の転用も容易である。また、義眼１において、視線調整部３が視線５延長線から外れた位置に設けられており、義眼１後面において、視線５延長線上を含む広い面積で押付機構２４が義眼１を押し付けて固定することが可能なため、より安定した固定が可能となる。
【００７８】
以上の実施形態によれば、また、人形頭部１２が顔部１８と後頭部１９を有し、顔部１８は、義眼固定部３の下部近傍に接続された内板２０と、内板２０上に形成され、一端が開口したスリット２１と、スリット２１の内側に形成された嵌合凹部２２と、を有し、後頭部１８は、嵌合凸部２６を有し、押付機構２４は内版２０上に設けられ、嵌合凸部２６がスリット２１の嵌合凹部２２に嵌合することによって、顔部１８と後頭部１９が着脱可能に接合することを特徴とする、前記の人形頭部１２が提供される。該人形頭部１２においては、内部に形成された内板２０上で義眼１が固定されるため、より安定した義眼１の固定ができ、視線調整の際に義眼１が落下して破損することを回避することもできる。また、義眼１のみならず、人形頭部１２の顔部１８及び後頭部１９も繰り返し着脱可能であるため、人形の義眼１、顔部１８及び後頭部１９を複数用意すれば、眼、顔及び髪を自由に組み合わせ、需要者の好みに応じて簡便にカスタマイズすることができる。
【００７９】
次に、図１３及び１４を用いて、上記の押付機構２４が、人形頭部１２の内部において、磁力で固定される実施形態７を説明する。図１３に示す人形頭部１２において、（ａ）は上方２０°に視線調整した状態を示し、（ｂ）は、下方３０°に視線調整した状態を示す。（ｃ）は、棒状部材１６を視線調整部３に接続して、義眼１を取り外した状態を示す。図１４は、義眼１を人形頭部１２内部に固定するための機構の分解図である（ａ：側面図、ｂ：それぞれの部品を真上から見た図）。
【００８０】
図１３に示すように、人形頭部１２の眼孔１３の周囲に、義眼１の形状に合わせて義眼固定部１５が形成される。人形頭部１２内において、眼孔１３の下部近傍から顎に向かう平面上に、金属で形成された内板２０が固定され、押付機構２４は、スライド可能な状態で内板２０上に設置される。詳細には、固定部２４ｃが内板２０の顎側に固定され、義眼保持部２４ａの一部は磁石３１で形成されている（磁石３１が埋め込まれている）ため、押付機構２４は、金属で形成された内板２０に磁力により吸着すると同時に、下方向からの押付力によって義眼１を保持する。
【００８１】
義眼１の視線調整部３は、眼球２の後面から後方側に向けて延びて設けられ、折り曲げ可能な金属製の先端部８を有する。金属製の先端部８を義眼保持部２４ａの磁石３１に吸着させたまま視線５を調整してもよいし、視線５の調整時には先端部８を磁石３１に吸着せず、調整後に先端部８を折り曲げて磁石３１に吸着してもよい。義眼１の視線の方向の変化に対応して、先端部８の多様な角度での吸着が可能となるよう、義眼保持部２４ａは一部半球形状に形成されている。
【００８２】
実施形態７においては、押付機構２４が磁力により内板２０に吸着するため、人形頭部１２の内部の狭い空間にも、押付機構２４が傾いたり外れたりすることなくコンパクトに固定できる。磁力による吸着は、垂直方向の吸着力は強く、水平方向へのスライドは行いやすいという特性を有するため、押付機構２４が内板２０にスライド可能な状態で吸着し、押付力による義眼１の固定に非常に都合がよい。
【００８３】
磁力による吸着は、典型的には磁石と金属との吸着を用いることができるが、その材質は磁力による吸着が可能な材質の組み合わせであれば特に限定されない。また、これらの設置場所も、所望の磁力による吸着が得られる限り特に限定されず、例えば、内板２０を磁石で成形し、これに磁力により吸着させる押付機構２４を金属で成形してもよく、成形の容易性を考慮して適宜望ましい構成を選択することができる。
【００８４】
実施形態７においてはまた、視線調整部３の先端部８が、人形頭部１２の内部に固定されるため、義眼１の人形頭部１２の内部への固定がより安定するのみならず、人形頭部１２の内部において、折り曲げ可能な視線調整部３の先端部８が、視線調整時以外の場合に意図に反して移動して調整後の視線がずれることを防ぐことができる。例えば、人形頭部１２を大きく動かした際（頭を振るなど）、折り曲げ可能な視線調整部３は長いために可動しやすく、義眼１の視線５もずれやすくなるが、先端部８を人形頭部１２の内部で固定することにより、このずれを防ぐことができる。先端部８を人形頭部１２の内部に固定する方法は、特に制限されず、粘着による固定、帯状の弾性部材で付勢する等、様々な手法を用いることができる。義眼１の視線５の方向に応じて、先端部８の人形頭部１２内における位置も若干変化するため、このような若干の位置変化も許容し得る固定（例えば磁力による固定）が好ましい。
【００８５】
次に、図１５を用いて、上記の押付機構２４が、人形頭部１２の内部において、磁力で固定される他の形態である実施形態８を説明する。図１５は、実施形態８に係る人形頭部１２の側面断面図であり、（ａ）〜（ｃ）はそれぞれ実施形態８の異なる態様を示す。また、（ａ）は上方視線、（ｂ）は下方視線、（ｃ）は義眼１を取り外した様子を示す。実施形態８は、実施形態７の変形例である。人形頭部１２内における空間は、眼孔１３の上部が、空間の天井の水平面に接するよう形成され、水平面の眼孔１３から遠い位置に金属で形成された内板２０が固定され、押付機構２４は、スライド可能な状態で内板２０上に設置される。詳細には、固定部２４ｃが内板２０の眼孔１３から最も遠い位置に固定され、義眼保持部２４ａの一部は磁石３１で形成されている（磁石３１が埋め込まれている）ため、押付機構２４は、金属で形成された内板２０に磁力により吸着すると同時に、水平方向からの押付力によって義眼１を保持する。また、人形頭部１２内の眼孔１３の下部近傍から顎に向かって、補助部材２５が固定され、これが下方向から義眼１の固定を補助する。その他の構成に関しては、実施形態７と同様である。
【００８６】
なお、図１５（ａ）〜（ｃ）においては、異なる形状の補助部材２５を用いている。図１５においては、いずれの補助部材２５も、左右両義眼１それぞれの下部を保持するよう、２つ設置されているが、左右両義眼１に共通する１つの補助部材２５を設置してもよい。図１５（ａ）は、短い補助部材２５を設置した例であり、人形頭部１２内部の空間をより広く確保することができる。図１５（ｂ）は、逆に長い補助部材２５を設置した例であり、人形頭部１２の内部へのネジ止め等による補助部材２５の固定を容易に行うことができる。図１５（ｃ）は、義歯を人形頭部１２の内部に有する態様であり、補助部材２５は、義眼１の固定補助と義歯の固定補助を兼ねる。
【００８７】
図１５に示すように、実施形態８の人形頭部１２においては、義眼１の視線調整のための機構が義眼１の上方に配置され、しかも磁力による吸着で落下しないため、図１５（ｃ）に示すように、口の周辺に義歯等の部材を取付けたい場合に好都合である。また、人形頭部１２において、内部に通じる開口部１４が首側に設けられている場合に、首側の空間が広く確保できるため、開口部１４からの視線調整等がより行い易い。
【００８８】
以上の実施形態によれば、内部に接続された内板２０を有し、前記押付機構２４と内板２０が磁力により吸着することを特徴とする、前記の人形頭部１２が提供される。該人形頭部１２においては、磁力により、押付機構２４が内板２０上でスライド可能に設置され、簡便かつ広い空間を必要とせずに、押付機構２４を人形頭部１２内に設けることができる。
【００８９】
以上の実施形態によれば、また、前記視線調整部３の折り曲げ可能な先端部８は、人形頭部１２の内部に固定可能であることを特徴とする、前記の人形頭部１２が提供される。該人形頭部１２においては、視線調整部３が人形頭部１２内部に固定されるため、視線調整時以外の場合には、視線調整部３が振動等によって動いて義眼１がずれることを防ぐことができる。
【００９０】
以上の実施形態によれば、また、前記視線調整部３は、前記視線５延長線に対して角度を有するよう、前記眼球２の後面から後方側に向けて延びて設けられており、その先端部８が折り曲げ可能に形成され、先端部８が磁力により前記押付機構２４に固定可能であることを特徴とする、前記の人形頭部１２が提供される。該人形頭部１２においては、磁力により、簡便かつ広い空間を必要とせずに、視線調整部３を人形頭部１２内に固定することができる。
【００９１】
次に、図１６を用いて、押付機構２４として楕円状部材を使って人形頭部１２内部で義眼１を視線調整可能に固定する、実施形態９を説明する。実施形態９は、実施形態６の変形例であり、顔部１８内部に設けられた内板２０上に、義眼固定部１５と連続した設置溝２３が形成される。設置溝２３の中には、押付機構２４である楕円球が回転可能に設置され、楕円球の回転により生じる押付力によって、義眼１の視線調整部３を外れた位置で押し付けて、義眼１を固定する。図１５（ａ）及び（ｂ）は、異なる形状の楕円状部材を示す。楕円球の押付機構２４は、好ましくはゴム、シリコーン、熱可塑性エラストマーなどの弾性素材によって成形され、一部に義眼１の固定の安定性を高めるために、凹みが設けられている。図１６から明らかなように、押付機構２４として楕円状部材や偏平形状板を用いると、押付機構２４を設置するために必要な空間がより狭くなり得る、簡便に採用できる等の利点がある。
【００９２】
次に、図１７〜１９を用いて、眼球２に平坦部３２又は凹部３３を有する義眼１と、該義眼１の形状と合わせた形状の義眼保持部２４ａを有する押付機構２４を用いて、視線５を所望の方向に固定維持する、実施形態１０を説明する。実施形態１０は、実施形態６の変形例である。
【００９３】
図１７は、実施形態１０に係る顔部１８、義眼１及び押付機構２４を真上からみた図である。（ａ）は、実施形態６と同様の義眼保持部２４ａを有する押付機構２４及び実施形態１０に係る義眼１を示す。（ｂ）〜（ｄ）は、それぞれ、前方視線（ｂ）、左方視線（ｃ）又は右方視線（ｄ）で義眼１を固定維持するための義眼保持部２４ａを有する押付機構２４及び対応する視線方向の義眼１を示す。（ｅ）は、（ｄ）の押付機構２４及び義眼１を右目に固定した顔部１８の内部を示す。図１８は、実施形態１０において使用可能な、義眼１の後面部１０を平坦部３２等球面でない形状に変更可能な構造とした義眼１を示す。図１７（ｂ）〜（ｄ）に示すように、眼球２に平坦部３２を有するよう形成した義眼１を所望の方向に視線調整した状態に合わせて、押付機構２４の義眼保持部２４ａを形成することで、視線５の固定が可能である。図１７（ａ）は、義眼１として眼球２に平坦部３２を有する義眼１を用いても、実施形態６と同様の形状の義眼保持部２４ａを有する押付機構２４を用いて、視線調整可能な状態で義眼１を固定することができることを示す図である。平坦部３２（及び凹部３３）は、眼球２上に凸部として現れないため、義眼１と接する面である義眼保持部２４ａが凹凸のない曲面であれば、視線調整の際に義眼１と義眼保持部２４ａとが干渉しない。したがって、図１７（ａ）〜（ｄ）に示すような様々な義眼保持部２４ａを用意し、交換することで、視線を所望の方向に固定維持することも、視線調整可能に固定することもできる。
【００９４】
図１９は、実施形態１０に係る義眼２及び押付機構２４の他の態様を示す側面図である。（ａ）及び（ｂ）はそれぞれ異なる態様を示す。実施形態１０における義眼１は図５に示した実施形態５と同様であり、図１９（ａ）は、眼球２に１つの平坦部３２を有する義眼１と、該平坦部３２と係止する係止部２４ｄを有する押付機構２４を示し、図１９（ｂ）は、眼球２に複数の凹部３３を有する義眼１と、任意の１つの該凹部３３と係止する係止部２４ｄを有する押付機構２４を示す。いずれの態様においても、係止部２４ｄは、押付機構２４上であって、義眼１の眼球２と接する面上に形成される。係止部２４ｄは、押付機構２４と一体形成されていてもよいが、押付機構２４に対し取り外し可能とすれば、押付機構２４を、眼球２に平坦部３２又は凹部３３を有する義眼１（実施形態５）に対しても、眼球２が球面の義眼１（実施形態１〜４）に対しても用いることができるため、好ましい。また、図１９（ｂ）に示すように、眼球２に複数の凹部３２（又は平坦部３２）を有する義眼１においては、１種の係止部材２４ｄを有する押付機構２４を用いて、複数の所望の方向に視線を向けて義眼１を固定維持することが可能である。
【００９５】
図２０に示す実施形態１１は、実施形態６の変形例であり、補助部材２５としてテーブル状（コの字状）の部材を採用し、内板２０上にこの補助部材２５を固定するための差し込み孔を複数（例えば４つ）設ける例である。
【００９６】
図２１に示す実施形態１２は、実施形態６の変形例であり、補助部材２５を後頭部１９側に設けた例である。顔部１８と後頭部１９とが接合した際に補助部材２５が押付機構２４を補助固定する。図２１に示した補助部材２５は棒形状であるが、義眼１及び押付機構２４の固定を補助する形状であれば、補助部材２５の設置手段、設置位置及び形状は特に制限されず、例えば、図２１に示すように、後頭部１９の上部に設けた孔に補助部材２５を着脱可能に差し込むこともできる。
【００９７】
図２２は、実施形態１３に係る人形頭部１２の内部を示す断面図である。図２２に示すように、人形頭部１２の内部は眼孔１３に通じる空間を有するよう形成され、内部空間が開口部１４に通じる。人形頭部１２の内部空間は、眼孔１３の上部が、空間の天井面に接するよう形成され、天井面に金属で形成された内板２０が固定される。内板２０には、磁石３１が、スライド可能な状態でネジ止めされる。磁石３１は義眼固定部１５の一部を構成し、義眼１の後面部１０と接する。後面部１０は一部金属を用いて成形されており、磁石３１に吸着して義眼１が人形頭部１２内部に調整可能に固定される。義眼１の視線調整部３は、視線５の延長線から外れた位置に設けられる。義眼１が磁力により人形頭部１２内部に吸着した状態で、開口部１４から、必要に応じて棒状部材１６を用い、視線調整部３を動かして義眼１の視線５を調整することができる。
【００９８】
図２２に示した態様においては、人形頭部１２の内部の天井面に内板２０及び磁石３１が設置されているが、磁力により義眼１が人形頭部１２の内部に吸着される限り、その様式は特に制限されず、例えば眼孔１３から顎方向下方に内板２０及び磁石３１を設置してもよい。また、内板２０上に磁石３１を設けず、義眼１の一部に磁石３１を用いて成形したり、義眼１に磁石３１を埋め込む等の手法により、磁力による義眼１の人形頭部１２内への吸着を行ってもよい。さらに、例えば前述の実施形態６〜１１等、押付機構２４を有する人形頭部１２においても、磁力による義眼１の人形頭部１２内への吸着を採用することができる。例えば図１３に示す実施形態７において、義眼１を一部金属を用いて成形することにより、義眼１が人形頭部１２内部の押付機構２４に磁力によって吸着し、押付機構２４による義眼１の固定を補助することができる。
【００９９】
磁力による義眼１の人形頭部１２内への吸着を行う場合、義眼１の成形は磁力による吸着が生じる限り特に制限されないが、好ましくは眼球２の後面部１０に磁力が作用するよう成形する。義眼１においては、視線５の延長線を外れた位置に視線調整部３が設けられているため、眼球２の後面部１０の、視線５の延長線上も含む広い面積で、磁力による吸着を行うことができる。また、義眼１の視線調整をする際、磁力による吸着により摺動が生じ人形顏部１２の内部で義眼１の表面が擦れることが考えられるが、後面部１０に磁力が作用するよう成形すれば、そのような摺動で義眼１の後面部１０表面に傷が生じたとしても、眼孔１３から傷が覗くことがないため好ましい。
【０１００】
以上の実施形態によれば、義眼１が人形頭部１２内に磁力により吸着することを特徴とする、人形頭部１２が提供される。該人形頭部１２においては、磁力により義眼１が人形頭部１２内に吸着した状態で視線調整を行うことが可能となるため、義眼１が落下することなく、義眼１の微細な視線調整をさらに容易かつ適確に行うことができる。
【０１０１】
なお、図に示した実施形態においては人間を模した人形頭部を代表例として用いて説明したが、本発明に係る義眼及び該義眼を固定した人形頭部は、老若男女の別なく多様な形態の人形頭部が含まれるのみならず、例えば動物の人形頭部、擬人的に顔を付設した乗り物等の人形頭部であってもよい。また、本発明の義眼は着脱可能であるから、人間以外の義眼等に変身させた人形頭部とすることも可能である。義眼及び人形頭部の寸法も需要者の好みに応じて適宜選択することが可能であり、たとえばマネキンやロボット等に適用することもできる。本発明の義眼は、特に人形頭部内部が狭い場合及び／又は人形頭部の義眼固定部に通ずる開口部が狭く、義眼に対して限定された方向に設けられている場合にも、視線調整及び固定調整可能に人形頭部内に固定することができるため、幅広いタイプの人形頭部に対して用いることができる。さらに、本発明の人形頭部の一部又は全体を、内部が中空の人形頭部（たとえば各種マネキン等）の内部構造として使用することもできる。
【符号の説明】
【０１０２】
１  義眼
２  眼球
３  視線調整部
４  瞳
５  視線
６  虹彩
７  白色部
８  先端部
９  前面部
１０  後面部
１１  連結部
１２  人形頭部
１３  眼孔
１４  開口部
１５  義眼固定部
１６  棒状部材
１７  膨出部
１８  顔部
１９  後頭部
２０  内板
２１  スリット
２２  嵌合凹部
２３  設置溝
２４  押付機構
２４ａ  義眼保持部
２４ｂ  動力部
２４ｃ  固定部
２４ｄ  係止部
２５  補助部材
２６  嵌合凸部
２７  接合面
２８  受部
２９  後頭部外縁
３０  首部
３１  磁石
３２  平坦部
３３  凹部
【図１Ａ】
2010179049.tif 000003
【図１Ｂ】
2010179049.tif 000004
【図１Ｃ】
2010179049.tif 000005
【図２】
2010179049.tif 000006
【図３】
2010179049.tif 000007
【図４】
2010179049.tif 000008
【図５】
2010179049.tif 000009
【図６】
2010179049.tif 000010
【図７】
2010179049.tif 000011
【図８】
2010179049.tif 000012
【図９】
2010179049.tif 000013
【図１０】
2010179049.tif 000014
【図１１】
2010179049.tif 000015
【図１２】
2010179049.tif 000016
【図１３】
2010179049.tif 000017
【図１４】
2010179049.tif 000018
【図１５】
2010179049.tif 000019
【図１６】
2010179049.tif 000020
【図１７】
2010179049.tif 000021
【図１８】
2010179049.tif 000022
【図１９】
2010179049.tif 000023
【図２０】
2010179049.tif 000024
【図２１】
2010179049.tif 000025
【図２２】
2010179049.tif 000026